【手続補正書】
【提出日】平成30年2月27日(2018.2.27)
【手続補正１】
【補正対象書類名】明細書
【補正対象項目名】０２３７
【補正方法】変更
【補正の内容】
【０２３７】
本発明の範囲及び趣旨から逸脱することなく、本開示の予測可能な修正及び変更が当業者には自明であろう。本発明は、説明を目的として本出願に記載される実施形態に限定されるものではない。本発明の実施態様の一部を以下の項目［１］−［１５］に記載する。
［項目１］
ポリマーリボン及びポリマーストランドを含むポリマーネットであって、該ポリマーリボン及びストランドのそれぞれは、長さ及び幅を有し、該長さは、最長寸法であり、該幅は、最短寸法であり、該ポリマーリボンは、少なくとも５：１の高さ対幅のアスペクト比と、ただ１つのポリマーストランドに断続的に結合している主表面と、該１つのポリマーストランドの高さより少なくとも２倍高い高さと、を有する、ポリマーネット。
［項目２］
前記ポリマーリボンはそれぞれ、前記主表面を二分する中心線と、該中心線の向かい側に対称的に配設された第１及び第２の縁部と、を有し、前記主表面は、該第２の縁部より該第１の縁部に近い場所でただ１つのポリマーストランドに断続的に結合している、項目１に記載のポリマーネット。
［項目３］
前記ポリマーリボンはそれぞれ、前記主表面を二分する中心線を有し、前記主表面は、該中心線を含む場所でただ１つのポリマーストランドに断続的に結合している、項目１に記載のポリマーネット。
［項目４］
前記ポリマーリボンの前記第１の縁部は、前記ポリマーリボンの前記第２の縁部とは異なる組成物を含む、項目２又は３に記載のポリマーネット。
［項目５］
前記ポリマーリボンはそれぞれ、前記主表面を二分する中心線と、該中心線の向かい側に対称的に配設された第１及び第２の縁部と、を有し、前記ポリマーリボンの第１のグループの前記主表面は、該中心線と該第１の縁部との間の場所でただ１つのポリマーストランドに結合し、前記ポリマーリボンの第２のグループの前記主表面は、該第２の縁部における該中心線との間の場所でただ１つのポリマーストランドに結合している、項目１に記載のポリマーネット。
［項目６］
前記ポリマーリボン及びポリマーストランドは、前記ポリマーネットの少なくとも一部において交互に入れ替わる、項目１〜５のいずれか一項に記載のポリマーネット。
［項目７］
前記ポリマーリボンのうち少なくともいくつかの前記高さ対幅のアスペクト比は、７：１より大きい、項目１〜６のいずれか一項に記載のポリマーネット。
［項目８］
前記ポリマーリボンのうち少なくともいくつかは、前記ポリマーストランドのうち少なくともいくつかと異なる色である、項目１〜７のいずれか一項に記載のポリマーネット。
［項目９］
前記ポリマーリボンは、弾性であるか、前記ポリマーストランドは、弾性であるか、又は前記ポリマーリボン及び前記ポリマーストランドの両方は、弾性である、項目１〜８のいずれか一項に記載のポリマーネット。
［項目１０］
ポリマーネットと、液不透過性のバックシートと、吸収性コアと、を含む、吸収性物品であって、該ポリマーネットは、ポリマーリボン及びポリマーストランドを含み、該ポリマーリボン及びストランドのそれぞれは、長さ及び幅を有し、該長さは、最長寸法であり、該幅は、最短寸法であり、該ポリマーリボンは、少なくとも３：１の高さ対幅のアスペクト比と、ただ１つのポリマーストランドに断続的に結合している主表面と、該１つのポリマーストランドの高さより高い高さと、を有し、該吸収性コアは、該ポリマーネットと該バックシートとの間にあり、該ポリマーネットは、該吸収性コアと該バックシートとの間にあるか、又は該ポリマーネットは、該吸収性コア内にある、吸収性物品。
［項目１１］
少なくとも１つのキャビティ、分注表面、及び該少なくとも１つのキャビティと該分注表面との間の流体通路を備える、押出ダイであって、該分注表面は、第２の分注開口部のアレイによって分離された第１の分注開口部のアレイを有し、該第１の分注開口部、第２の分注開口部、及び任意の他の分注開口部は、該分注表面にわたって一列に配置され、該第１及び第２の分注開口部はそれぞれ、高さ及び幅を有し、該第１の分注開口部はそれぞれ、少なくとも５：１の高さ対幅のアスペクト比を有し、該第１の分注開口部の該高さは、該第２の分注開口部の該高さより少なくとも３倍高い、押出ダイ。
［項目１２］
ポリマーネットを製造する方法であって、該方法は、
少なくとも１つのキャビティと、分注表面と、該少なくとも１つのキャビティと該分注表面との間の流体通路と、を備える、押出ダイを提供することであって、該分注表面は、第２の分注開口部のアレイによって分離された第１の分注開口部のアレイを有し、該第１及び第２の分注開口部はそれぞれ、高さ及び幅を有し、該第１の分注開口部はそれぞれ、少なくとも５：１の高さ対幅のアスペクト比を有し、該第１の分注開口部の該高さは、該第２の分注開口部の該高さより少なくとも２倍高い、ことと、
該第１の分注開口部からポリマーリボンを第１の速度で分注する一方で、該第２の分注開口部からポリマーストランドを第２の速度で同時に分注して、該ポリマーネットを提供することであって、該第２の速度は、該第１の速度の少なくとも２倍である、ことと、を含む、方法。
［項目１３］
前記ポリマーリボンは、実質的に真っ直ぐである、項目１２に記載の方法。
［項目１４］
前記第１の分注開口部の少なくともいくつかの前記高さ対幅のアスペクト比は、少なくとも１１：１である、項目１１に記載の押出ダイ又は項目１２若しくは１３に記載の方法。
［項目１５］
前記押出ダイは、少なくとも第１及び第２のキャビティと、該第１のキャビティと前記第１の分注開口部との間の第１の流体通路と、該第２のキャビティと前記第２の分注開口部との間の第２の流体通路と、を備える、項目１１〜１４のいずれか一項に記載の押出ダイ又は方法。
【手続補正２】
【補正対象書類名】特許請求の範囲
【補正対象項目名】全文
【補正方法】変更
【補正の内容】
【特許請求の範囲】
【請求項１】
ポリマーリボン及びポリマーストランドを含むポリマーネットであって、該ポリマーリボン及びストランドのそれぞれは、長さ及び幅を有し、該長さは、最長寸法であり、該幅は、最短寸法であり、該ポリマーリボンは、少なくとも５：１の高さ対幅のアスペクト比と、ただ１つのポリマーストランドに断続的に結合している主表面と、該１つのポリマーストランドの高さより少なくとも２倍高い高さと、を有する、ポリマーネット。
【請求項２】
前記ポリマーリボンはそれぞれ、前記主表面を二分する中心線と、該中心線の向かい側に対称的に配設された第１及び第２の縁部と、を有し、前記ポリマーリボンの前記第１の縁部は、前記ポリマーリボンの前記第２の縁部とは異なる組成物を含む、請求項１に記載のポリマーネット。
【請求項３】
前記ポリマーリボン及びポリマーストランドは、前記ポリマーネットの少なくとも一部において交互に入れ替わる、請求項１又は２に記載のポリマーネット。
【請求項４】
前記ポリマーリボンのうち少なくともいくつかの前記高さ対幅のアスペクト比は、７：１より大きい、請求項１〜３のいずれか一項に記載のポリマーネット。
【請求項５】
前記ポリマーリボンは、弾性であるか、前記ポリマーストランドは、弾性であるか、又は前記ポリマーリボン及び前記ポリマーストランドの両方は、弾性である、請求項１〜４のいずれか一項に記載のポリマーネット。
【請求項６】
ポリマーネットと、液不透過性のバックシートと、吸収性コアと、を含む、吸収性物品であって、該ポリマーネットは、ポリマーリボン及びポリマーストランドを含み、該ポリマーリボン及びストランドのそれぞれは、長さ及び幅を有し、該長さは、最長寸法であり、該幅は、最短寸法であり、該ポリマーリボンは、少なくとも３：１の高さ対幅のアスペクト比と、ただ１つのポリマーストランドに断続的に結合している主表面と、該１つのポリマーストランドの高さより高い高さと、を有し、該吸収性コアは、該ポリマーネットと該バックシートとの間にあり、該ポリマーネットは、該吸収性コアと該バックシートとの間にあるか、又は該ポリマーネットは、該吸収性コア内にある、吸収性物品。
【請求項７】
少なくとも１つのキャビティ、分注表面、及び該少なくとも１つのキャビティと該分注表面との間の流体通路を備える、押出ダイであって、該分注表面は、第２の分注開口部のアレイによって分離された第１の分注開口部のアレイを有し、該第１の分注開口部、第２の分注開口部、及び任意の他の分注開口部は、該分注表面にわたって一列に配置され、該第１及び第２の分注開口部はそれぞれ、高さ及び幅を有し、該第１の分注開口部はそれぞれ、少なくとも５：１の高さ対幅のアスペクト比を有し、該第１の分注開口部の該高さは、該第２の分注開口部の該高さより少なくとも３倍高い、押出ダイ。
【請求項８】
ポリマーネットを製造する方法であって、該方法は、
少なくとも１つのキャビティと、分注表面と、該少なくとも１つのキャビティと該分注表面との間の流体通路と、を備える、押出ダイを提供することであって、該分注表面は、第２の分注開口部のアレイによって分離された第１の分注開口部のアレイを有し、該第１及び第２の分注開口部はそれぞれ、高さ及び幅を有し、該第１の分注開口部はそれぞれ、少なくとも５：１の高さ対幅のアスペクト比を有し、該第１の分注開口部の該高さは、該第２の分注開口部の該高さより少なくとも２倍高い、ことと、
該第１の分注開口部からポリマーリボンを第１の速度で分注する一方で、該第２の分注開口部からポリマーストランドを第２の速度で同時に分注して、該ポリマーネットを提供することであって、該第２の速度は、該第１の速度の少なくとも２倍である、ことと、を含む、方法。
【請求項９】
前記ポリマーリボンは、実質的に真っ直ぐである、請求項８に記載の方法。